(57)【要約】【課題】検出した近隣を報告する中継器【解決手段】本開示は無線通信システム（図１、項目１０）に実現された中継器（図１、項目１４）と基地局制御装置（図１、項目１８）とに向けられる。中継器はその無線通信システム内の様々な基地局（図１、項目１２Ａ−Ｃ）から送られた信号を検出できる制御ユニットを含む。本開示に従って、その中継器は検出できる基地局の群を識別し、そして中継器はその中継器に中継させる特定の基地局を検出できる基地局の群を示す情報を送る。この仕方で、中継器はネットワークトポロジーを評価する手伝いをするために使用されることができる。基地局制御装置は基地局からその情報を受信し、その情報を用いて近隣リストを更新できる。【選択図】図５
2007532079.tif 000002
【特許請求の範囲】
【請求項１】
無線通信システムにおいて情報を受信する、前記情報は前記無線通信システムにおいて中継器が検出できる基地局の群のシグナルを示しており、
前記受信した情報に基づいて近隣リストを更新する、
ことを備える方法。
【請求項２】
さらに、前記更新された近隣リストは前記無線通信システムの１あるいは２以上の加入者ユニットへ送信させられる、ことを備える請求項１に記載の方法。
【請求項３】
前記情報が基地局の前記群の前記シグナルから検出された位相オフセットの群を識別する、請求項１に記載の方法。
【請求項４】
前記情報が基地局の前記群の前記シグナルから検出された識別コード含む、請求項１に記載の方法。
【請求項５】
前記無線通信システムが符号分割多元接続（ＣＤＭＡ）システムを備え、
前記情報が擬似雑音（ＰＮ）のオフセットを識別する、
請求項１に記載の方法。
【請求項６】
無線通信システムの中継器で実行される方法であって、
前記中継器が検出できる基地局の群と関連するシグナルを識別する、
前記中継器により中継された、基地局の前記群を示す情報を特定の基地局に送る、
ことを備える方法。
【請求項７】
前記情報が基地局の前記群の前記シグナルから検出された位相オフセットの群を識別する、請求項６に記載の方法。
【請求項８】
前記情報が基地局の前記群の前記シグナルから検出された識別コード含む、請求項６に記載の方法。
【請求項９】
前記無線通信システムが符号分割多元接続（ＣＤＭＡ）システムを備え、
前記情報が擬似雑音（ＰＮ）のオフセットを識別する、
請求項６に記載の方法。
【請求項１０】
さらに、
前記シグナルのエネルギーレベルを識別する、
前記エネルギーレベルを示す情報を送る、
ことを備える請求項６に記載の方法。
【請求項１１】
さらに、
前記シグナルのパイロットシンボルを識別する、
前記識別されたパイロットシンボルを示す情報を送る、
ことを備える請求項６に記載の方法。
【請求項１２】
無線通信システムの装置で実行される場合に、前記装置に、前記無線通信システム内の中継器から受信した情報に基づいて近隣リストを更新させる、前記情報は前記中継器が検出できる基地局の群のシグナルを示している、計算機読み取り可能な命令を備える計算機読み取り可能な媒体。
【請求項１３】
実行される場合に、前記装置に、前記更新された近隣リストを前記無線通信システムの１あるいは２以上の加入者ユニットへ送らせる、命令をさらに備える請求項１２に記載の計算機読み取り可能な媒体。
【請求項１４】
前記情報が基地局の前記群の前記シグナルから検出された位相オフセットの群を識別する、請求項１２に記載の計算機読み取り可能な媒体。
【請求項１５】
前記情報が基地局の前記群の前記シグナルから検出された識別コード含む、請求項１２に記載の計算機読み取り可能な媒体。
【請求項１６】
前記無線通信システムが符号分割多元接続（ＣＤＭＡ）システムを備え、
前記情報が擬似雑音（ＰＮ）のオフセットを識別する、
請求項１２に記載の計算機読み取り可能な媒体。
【請求項１７】
無線通信システムの中継器で実行される場合に、前記中継器そして、
前記中継器が検出できる基地局の群に関連するシグナルを識別させる、
前記中継器により中継された基地局の前記群を示す情報を特定の基地局に送らせる、
計算機読み取り可能な命令を備える計算機読み取り可能な媒体。
【請求項１８】
前記情報が基地局の前記群の前記シグナルから検出された位相オフセットの群を識別する、請求項１７に記載の計算機読み取り可能な媒体。
【請求項１９】
前記情報が基地局の前記群の前記シグナルから検出された識別コード含む、請求項１７に記載の計算機読み取り可能な媒体。
【請求項２０】
前記無線通信システムが符号分割多元接続（ＣＤＭＡ）システムを備え、
前記情報が擬似雑音（ＰＮ）のオフセットを識別する、
請求項１７に記載の計算機読み取り可能な媒体。
【請求項２１】
無線通信システムの装置であって、
前記無線通信システムにおいて情報を受信する受信器と、前記情報は前記無線通信システムにおいて中継器が検出できる基地局の群からのシグナルを示しており、
前記受信した情報に基づいて近隣リストを更新する制御ユニットと、
を備える装置。
【請求項２２】
さらに、前記無線通信システムの１あるいは２以上の加入者ユニットへの送信のために前記基地局の特定の基地局に前記更新された近隣リストを送る送信器を備える請求項２１に記載の装置。
【請求項２３】
前記情報が基地局の前記群の前記シグナルから検出された位相オフセットの群を識別する、請求項２１に記載の装置。
【請求項２４】
前記情報が基地局の前記群の前記シグナルから検出された識別コード含む、請求項２１に記載の装置。
【請求項２５】
前記無線通信システムが符号分割多元接続（ＣＤＭＡ）システムを備え、
前記情報が擬似雑音（ＰＮ）のオフセットを識別する、
請求項２１に記載の装置。
【請求項２６】
無線通信システムの中継器であって、
前記中継器が検出できる基地局の群と関連するシグナルを識別する、
前記中継器に、前記中継器により中継された基地局の前記群を示す情報を特定の基地局へ送らせる、
制御ユニットを備える中継器。
【請求項２７】
前記情報が基地局の前記群の前記シグナルから検出された位相オフセットの群を識別する、請求項２６に記載の中継器。
【請求項２８】
前記情報が基地局の前記群の前記シグナルから検出された識別コード含む、請求項２６に記載の中継器。
【請求項２９】
前記無線通信システムが符号分割多元接続（ＣＤＭＡ）システムを備え、
前記情報が擬似雑音（ＰＮ）のオフセットを識別する、
請求項２６に記載の中継器。
【請求項３０】
中継器が検出できる基地局の群と関連するシグナルを識別する中継器であって、該中継器が検出できる基地局の前記群を示す情報を送る該中継器と、
前記情報を受信し、前記情報に基づいて近隣リストを更新する装置と、
を備える無線通信システム。
【請求項３１】
前記情報が基地局の前記群の前記シグナルから検出された位相オフセットの群を識別する、請求項３０に記載のシステム。
【請求項３２】
前記情報が基地局の前記群の前記シグナルから検出された識別コード含む、請求項３０に記載のシステム。
【請求項３３】
前記無線通信システムが符号分割多元接続（ＣＤＭＡ）システムを備え、
前記情報が擬似雑音（ＰＮ）のオフセットを識別する、
請求項３０に記載のシステム。
【請求項３４】
無線通信システムの装置であって、
前記無線通信システムにおいて情報を受信する手段と、前記情報は前記無線通信システムにおいて中継器が検出できる基地局の群からのシグナルを示しており、
近隣リストを格納する手段と、
前記受信した情報に基づいて前記近隣リストを更新する手段と、
を備える装置。
【請求項３５】
さらに、前記更新された近隣リストを前記無線通信システムの１あるいは２以上の加入者ユニットに送る手段を備える請求項３４に記載の装置。
【請求項３６】
無線通信装置の中継器であって、
前記中継器が検出できる基地局の群と関連するシグナルを識別する手段と、
前記中継器に中継させる基地局の前記群を示す情報を特定の基地局に送る手段と、
を備える中継器。
【請求項３７】
前記無線通信システムが符号分割多元接続（ＣＤＭＡ）システムを備え、
前記情報が擬似雑音（ＰＮ）のオフセットを識別する、
請求項３６に記載の中継器。
【発明の詳細な説明】
【技術分野】
【０００１】
本開示は無線通信に関し、よりとりわけ、本出願は中継器を利用する無線通信システムに関する。
【優先権の主張】
【０００２】
本出願は２００４年４月５日に提出された米国仮出願第６０／５５９５４５に対する優先権を主張する。
【背景技術】
【０００３】
無線通信システムにおいて、基地局は典型的には加入者ユニットへのネットワークアクセスを提供する。加入者ユニットは移動式の無線電話のような、エンドユーザにより使用される移動式の無線装置を一般的に指す。基地局は一般に加入者ユニットに有線電気通信ネットワークへのアクセスを提供するために加入者ユニットと無線で通信する固定の（ｓｔａｔｉｏｎａｒｙ）機器である。例えば、基地局は、電話の呼が加入者ユニットへおよびから送られる（ｒｏｕｔｅ）ような公衆交換電話網（ＰＳＴＮ）と加入者ユニットとの間のインターフェイスを提供することができる。代わりにあるいは加えて、基地局はパケットベースの音声情報あるいはパケットベースのデータの送信のためにパケットベースのネットワークに連結されることができる。
【０００４】
ある分野において、１あるいは２以上の基地局と関連するネットワークのサービス区域を拡張するために無線通信システムにおいて中継器が取り付けられる。中継器はある基地局からシグナルを受信し実質的に同一の信号を加入者ユニットに再送信するネットワーク装置を一般的に指す。ある場合において、中継器は例えばファイバーオプティック（ｆｉｂｅｒ  ｏｐｔｉｃ）リンクを経由して基地局と有線接続されることができ、他の場合において、中継器は完全に無線である。無線中継器は典型的にはシグナルを受信し、そのシグナルを増幅し、それから増幅されたシグナルを加入者ユニットへ再送信する。
【０００５】
中継器は一般にネットワークのサービス区域を拡張するあるいは改善するための費用対効果のある（ｃｏｓｔ−ｅｆｆｅｃｔｉｖｅ）機構とみなされる。特に、中継器の使用は与えられた基地局と関連する地理的なサービス区域範囲を効率的に広くすることができる。そのうえ、中継器を実施する費用は追加の基地局を追加する費用よりも著しく少なくできる。しかし、無線通信システムにおいて中継器を実現することはいくつかの難題と潜在的な困難さとを起こさせる。
【発明の開示】
【０００６】
１実施形態において、本開示は無線通信システムにおいて情報を受信する、前記情報は前記無線通信システムにおいて中継器が検出できる基地局の群のシグナルを示している、前記受信した情報に基づいて近隣リストを更新する、ことを備える方法に向けられる。
【０００７】
別の実施形態において、本開示は無線通信システムの中継器で実行される方法に向けられる。当該方法は前記中継器が検出できる基地局の群と関連するシグナルを識別し、前記中継器に中継させる（ｇｅｔｓ  ｒｅｐｅａｔｅｄ）基地局の前記群を示す情報を特定の基地局に送る、ことを備える。
【０００８】
様々な実施形態が、中継器、基地局制御装置、中継器あるいは基地局制御装置において実現される方法、および中継器と１あるいは２以上の基地局と基地局制御装置とを含む無線通信システムに向けられる。いくつかの場合において、ここに記述される技法は中継器あるいは基地局制御装置内のソフトウェアとして実現されることができる。したがって本開示は、実行される場合、ここに記述される１あるいは２以上の技法を実行する計算機読み取り可能な命令を備える計算機読み取り可能な媒体も考えられる。
【０００９】
本開示の１あるいは２以上の実施形態の詳細は、添付図面と下の記述とで明らかにされる。本開示の他の特徴と目的と利点とは、記述および図面とクレームとから明白となろう。
【００１０】
［詳細な記述］
一般に、本開示は無線通信システムにおいて実現された中継器とその中継器により識別された情報を使用する基地局制御装置とに向けられる。中継器はその無線通信システム内の様々な基地局から送られるシグナルを検出できる制御ユニットを含む。本開示に従って、中継器はそれが検出できる基地局の群を識別し、それからその中継器が検出できるその基地局の群を示す情報を、その中継器と関連する特定の基地局に送る。その中継器と関連する特定の基地局は一般に中継器により中継させられたシグナルを送る基地局、すなわち中継器により中継させられた基地局を指す。基地局は中継器から受信した情報を以下に記述するようにその情報を利用する基地局制御装置に送る。
【００１１】
例として、符号分割多元接続（ＣＤＭＡ）システムにおいて、中継器はそのＣＤＭＡシステムにより定義されたすべての可能な擬似雑音（ＰＮ）のオフセットにおいてパイロットシンボルを検索できる。ある特定のＰＮオフセットにおいてパイロットシンボルが検出された場合、中継器はそのＰＮオフセットにおけるパイロットシンボルの検出を示す情報を送れる。この仕方で、中継器はネットワークトポロジー（ｔｏｐｏｌｏｇｙ）を評価する手伝いをするために使用されることができる。
【００１２】
基地局制御装置が中継器からその中継器が検出できる基地局の群を示す情報を、例えばその中継器と関連する基地局を経由して受信した場合、その基地局制御装置はその情報を使用して近隣リストを更新できる。そして基地局制御装置はハンドオフを容易にするために基地局に、更新された近隣リストをその無線通信システムの１あるいは２以上の加入者ユニットへ送らせることができる。追加のオプションとして、中継器はエネルギーレベル、例えばＥｃ／Ｉｏレベル（パイロットシンボルのチップあたりのエネルギー）、信号対雑音電力比、受信信号強度、あるいは観測された特定のパイロットのような追加情報も提供できる。言い換えれば、中継器は、検出できる基地局を報告できるだけでなく、検出できる基地局信号の特定の特性をも報告できる。基地局は順番に（ｉｎ  ｔｕｒｎ）改良されたネットワーク制御を容易にするためにこの情報を基地局制御装置に提供できる。基地局制御装置は例えば、そのような情報を使用してシステムの「ＯＡ＆Ｍ」（運用、管理および保守）を改善することができる。
【００１３】
ハンドオフは、加入者ユニットが１つの基地局からサービスを受けることから別の基地局へ変更するプロセスを指す。ハンドオフを容易にするために、加入者ユニットはその現在の基地局から近隣リストを受信し、その近隣リスト内の基地局のシグナルを検索する。近隣の基地局のシグナルが検出された場合、加入者ユニットはその現在サーブしている（ｓｅｒｖｉｎｇ）基地局にその近隣の基地局を検出した表示を送り返そうとする。その基地局を制御する基地局制御装置は、近隣の基地局のシグナルが例えば信号強度またはそのようなものの観点で適したものになる場合、加入者ユニットに、その近隣の基地局へ「ハンドオフ」させる。その場合、順方向リンク情報は、ハンドオフが完了するまでの期間双方の基地局から送られるだろう。ハンドオフに続いて、その加入者ユニットはその近隣の基地局から新たな近隣リストを続いて受信し、その近隣リストは別のハンドオフをできる限り容易にするために検索され得る。この仕方で、ハンドオフは加入者ユニットがセルラーの音声あるいはデータの電話呼の期間中でさえ基地局を変更することを可能にする。
【００１４】
中継器が与えられた基地局に関連する地理的なネットワークのサービス区域を一般的に拡張するゆえに、中継器の実施は近隣リストにはっきりと影響を与えることができる。中継器がなければ与えられた基地局の近隣リストは典型的にはその与えられた基地局の或る地理的な範囲（ｒａｄｉｕｓ）内にあるそれらの基地局のみを含む。しかし、中継器が使用された場合、その中継器に関連する基地局の近隣リストはその中継器が基地局のネットワークサービス区域を拡張しているという事実が考慮されるべきである。その場合、近隣リストはその中継器に比較的近い追加の基地局を含むべきである。たとえ、それらの追加の基地局がその中継器と関連する基地局からかなり離れていても。いくつかの場合、中継器がハイウェイに沿って広げるために実施され、それによって、例えばその幹線道路に対応して、それが幅の狭い地理的に帯状のもの（ｂａｎｄ）に沿ってサービスする加入者ユニットへ、基地局の地理的な距離をかなり拡大する。
【００１５】
従来、中継器の実施に続いて、ネットワーク技術者は手動でネットワークを調査し、その中継器の存在に基づいてその基地局制御装置の近隣リストを更新する。しかし、そのような近隣リストの手動更新はコストのかかる人的資源の使用である。そのうえ、ネットワーク状況（ｓｅｔｔｉｎｇｓ）が将来変更された場合、その近隣リストは不正確となろう。この理由から、本開示に従って、中継器はその中継器が様々な周囲の基地局からのシグナルを識別することを可能にする回路要素（ｃｉｒｃｕｉｔｒｙ）を含む。よって、その中継器はそれが検出できる基地局の群のシグナルを識別し、それから基地局制御装置内の近隣リストの自動更新を可能にするために、その中継器が検出できる基地局のその群を示す情報をその中継器と関連する特定の基地局へ送る。
【００１６】
図１は、１あるいは２以上の基地局１２Ａ−１２Ｃ（集合的に複数の基地局１２）と、１あるいは２以上の中継器１４と、１あるいは２以上の加入者ユニット１６とを含む無線通信システム１０のシステム図である。基地局１２は一般に複数の基地局１２を制御する基地局制御装置１８に連結される。基地局制御装置１８は移動式通信交換局４が連結されることができる。移動式通信交換局４は同様に公衆交換電話網（ＰＳＴＮ）８に連結されることができる。
【００１７】
中継器１４は典型的には基地局１２の特定の基地局、この場合では基地局１２Ａと関連づけられる。言い換えれば、中継器１４は基地局１２Ａから送られたシグナルを中継する。特に、中継器１４は基地局１２Ａからのシグナル１５Ａを受信し、基地局１２Ａのネットワークサービス区域を広げるためにシグナル１５Ａ（中継されたシグナルは１５Ａ´の符号がつけられている）を中継する。しかし、中継器１４が２あるいは３以上の基地局のシグナルを中継することもできるであろう。
【００１８】
基地局１２は一般に加入者端末１６へのネットワークアクセスを提供するために加入者ユニット１６と無線で通信する固定の機器である。基地局１２は、電話の呼が加入者ユニット１６へおよびから送られることができるようなＰＳＴＮ８と加入者ユニット１４との間のインターフェイスを提供できる。再び、基地局制御装置１８は基地局１２を制御し移動式通信交換局４を経由してＰＳＴＮ８とインターフェイスする。代わりにあるいは加えて、基地局１２はパケットベースの音声情報あるいはパケットベースのデータの送信のためにパケットベースのネットワークに直接あるいは間接のいずれかで連結されることができる。基地局１２はしばしば基地トランシーバシステム（ＢＴＳ）と呼ばれる。
【００１９】
加入者ユニット１６は一般にエンドユーザにより使用される無線装置を指す。単一の加入者ユニット１６が図示されているが、システム１０は典型的には複数のそのようなユニットを含む。加入者ユニット１６は典型的には移動式の無線電話を備える。しかし、加入者ユニット１６は、デスクトップもしくは携帯用の計算機のような、任意の多様な種類の他の携帯用の計算装置、パーソナルデジタルアシステント（ＰＤＡ）、双方向テレビ、無線データ端末、無線データ収集装置、あるいは任意の他の無線装置にも実現されることができる。
【００２０】
中継器１４は基地局１２Ａからシグナル１５Ａを受信し実質的に同一のシグナル１５Ａ´を加入者ユニット１６に再送信するネットワーク装置を備える。代わりにあるいは加えて、中継器１４は加入者ユニット１６からシグナル１５Ａ´を受信し実質的に同一のシグナル１５Ａを基地局１２Ａに再送信することができる。完全に無線装置として図示されているが、別の例では、中継器１４は例えば光ファイバリンク、銅線またはそのようなものを経由して基地局１２Ａに有線接続されることができる。しかし、その場合、有線接続された中継器は提供者側の付属の基地局すなわち基地局１２Ａを聞くのみであろう。
【００２１】
本開示に従って、中継器１４はそれが検出できる基地局１２Ｂ、１２Ｃの群のシグナル１７Ｂ、１７Ｃ（集合的に複数のシグナル１７）を識別し、それから中継器１４が検出できる基地局１２Ｂ、１２Ｃの群を示す情報を中継器１４により中継される基地局１２Ａへ送る。基地局１２Ａは順番にこの情報を基地局制御装置１８に転送する。
【００２２】
例えば、システム１０がＣＤＭＡシステムである場合、中継器１４はＣＤＭＡシステムにより定義されたすべての可能性のある擬似雑音（ＰＮ）のオフセットの中でパイロットシンボルを検索できる。パイロットシンボルがある特定のＰＮオフセットで検出された場合、中継器１４はそのＰＮオフセットの中でパイロットシンボルの検出を示す情報を基地局１２に送る。この仕方で、中継器１４は近隣の基地局の存在を確認するあるいはシステム１０のネットワークトポロジーを評価するために使用されることができる。中継器１４により検出されたシグナル１７は図１に示すように基地局１２Ｂ、１２Ｃから直接来ることができ、あるいは代わりに１あるいは２以上のシグナル１７は、例えば１あるいは２以上の基地局１２Ｂ、１２Ｃに関連する別の中継器から来ることができる。
【００２３】
中継器１４が検出できる基地局１２Ｂ、１２Ｃの群のシグナル１７を示す情報を、例えば基地局１２Ａを経由して基地局制御装置１８が受信した場合、基地局制御装置１８はその情報を使用してその近隣リストを更新する。基地局制御装置１８はそして基地局１２Ａに、ハンドオフを容易にするために、更新された近隣リストを加入者ユニット１６と無線通信システム１０の他の加入者ユニットとへ送らせることができる。そしてそのうえ、基地局制御装置１８はこの情報をＯＡ＆Ｍの目的のような他の目的に使用することができる。例えばシグナルの強度と特質とに関する特定の詳細はＯＡ＆Ｍの目的で基地局制御装置１８に有益であることができる。
【００２４】
基地局１２Ｂ、１２Ｃのシグナル１７を検出しそして検出した信号を報告するために中継器１４を使用することにより、システム１０は著しく改善され得る。例えば、中継器１４の実施の後では技術者がネットワーク１０のトポロジーを手動で調査する必要性が減らされるあるいは除かれることができる。そのうえ、中継器１４が検出し検出した現実のシグナル１７を報告するため、近隣リストは技術者の調査により生成されたリストよりもより正確であることができる。そしてそのうえ、本開示に従って、更新された近隣リストは生じた任意のネットワークの変更を、たとえ中継器１４が配置された後に変化が生じる場合でさえ、考慮すべきである。例えば、基地局１２Ｃが一時的に正常に働かない場合、中継器がシグナル１７Ｃをもはや検出しない際に、基地局制御装置１８の近隣リストは自動的に更新されることができる。そしてそのうえ、追加の基地局あるいは中継器が後に配置された場合、新たに配置された基地局あるいは中継器と関連する新たなシグナルを中継器が検出する際に、基地局制御装置１８の近隣リストは自動的に更新されることができる。この仕方で、中継器１４を使用してシグナル１７を検出し、そして検出したシグナルを基地局１２Ａに報告することは無線通信システム１０の性能を改善できる。
【００２５】
図２は典型的な中継器１４のブロック図である。図２において、図示された要素は、本開示の教え（ｔｅａｃｈｉｎｇ）に従って使用されることができる特定の要素を含む。しかし、他の要素は例えば中継器の他の機能を制御するために存在することもできる。この例において、中継器１４は、基地局１２Ａからのシグナルを受信する（しばしば「ドナー」アンテナと呼ばれる）第１のアンテナ２２と、第１のアンテナ２２で受信したシグナルを増幅する第１の増幅器２４とを含む。加えて、中継器１４は第１のアンテナ２２により受信され増幅器２４により増幅されたシグナルを送信すなわち中継する（しばしば「サーバ」アンテナと呼ばれる）第２のアンテナ２６を含む。そしてそのうえ、中継器１４は第２のアンテナで例えば加入者ユニット１６から受信したシグナルを増幅する第２の増幅器２８を含むことができる。その場合、第１のアンテナ２２は第２のアンテナ２６で受信したシグナルを送信すなわち中継する。
【００２６】
本開示に従って、中継器１４はさらに制御ユニット２５を含む。例えば、制御ユニット２５はソフトウェアモジュールを実行するデジタル信号プロセッサ（ＤＳＰ）、プログラム可能なマイクロプロセッサあるいは個別的なハードウェア要素を備えることができる。そしてそのうえ、制御ユニット２４はハードウェア、ソフトウェア、ファームウェア、１あるいは２以上のプログラム可能なマイクロプロセッサ、デジタル信号プロセッサまたはそのようなものの任意の組み合わせで実現されることができる。一例において、制御ユニット２４はＤＳＰあるいはチップセットを備え、典型的には加入者ユニットで実現されたそれらと類似である。その場合、ＤＳＰはここで述べているように中継器１４の信号処理技法を実行するようプログラムされることができる。中継器１４の様々な要素は説明の目的で図示されているが、例えばハードウェアあるいはソフトウェア内の他の要素に、統合されることができる。ここで述べる技法がソフトウェアに実装される場合、メモリあるいは計算機読み取り可能な媒体（図示なし）は実行のために制御ユニット２５に読み込まれるソフトウェア命令を格納するために制御ユニット２５に連結されることができる。その技法はデジタルで実行される場合、中継器１４は典型的には、受信シグナルを、例えばＤＳＰの形式で制御ユニット２５により処理されることができるデジタル値に変換するアナログ／デジタル変換器（図示なし）を含むであろう。
【００２７】
任意の場合において、制御ユニット２５は様々な近隣の基地局１２Ｂ、１２Ｃから受信したシグナル１７（図１）を識別するためにアンテナ２２で受信した、到来するシグナルを検査する。特に、制御ユニット２５はシグナル１７を検出しそれから近隣の基地局１２Ｂ、１２Ｃと関連する検出されたシグナル１７を示す情報を生成する。例えば、制御ユニット２５は、例えばシグナル１７に対応する異なるＰＮオフセットでのパイロットシンボルの存在を求めて受信シグナルを走査（ｓｃａｎ）することができる。代わりに、制御ユニット２５は、例えばそれぞれのシグナル１７のオーバーヘッドチャネルから得られた受信シグナルからネットワークの識別（ｉｄｅｎｔｉｆｉｃａｔｉｏｎ、ＩＤ）コードを識別することができる。任意の場合において、制御ユニット２５はそれから中継器１４に、近隣の基地局１２Ｂ、１２Ｃと関連する検出されたシグナル１７を示す生成情報を基地局１２Ａへ送信させる。基地局１２Ａはそして基地局制御装置１８にその近隣リストが更新されることができるようにこの情報を転送する。さらに、近隣の基地局１２Ｂ、１２Ｃと関連するシグナル１７は図１に示されるように基地局１２Ｂ、１２Ｃから直接来ることができる、あるいは代わりに１あるいは２以上のシグナル１７は、例えば１あるいは２以上の基地局１２Ｂ、１２Ｃと関連する別の中継器から来ることができる。
【００２８】
システム１０がＣＤＭＡシステムを備える１の例において、制御ユニット２５は受信シグナル１７を検査しそのＣＤＭＡシステムにおいて定義された可能な（ｐｏｓｓｉｂｌｅ）擬似雑音（ＰＮ）オフセット内のパイロットシンボルを検索する。ある特定のＰＮオフセットでパイロットシンボルが検出された場合、制御ユニット２５はパイロットシンボルの存在を確認し、中継器１４に、その特定のＰＮオフセットにおけるパイロットシンボルを検出したことを示す情報を基地局１２Ａへ送らせる。この仕方で、中継器１４の制御ユニット２５は、例えば基地局制御装置１８の近隣リストを更新するために、システム１０のネットワークトポロジーを評価し、あるいは基地局１２Ｂ、１２Ｃの存在を確認する手伝いをするために使用されることができる。
【００２９】
図３は、典型的な基地局制御装置１８をより詳細に示すシステム１０の一部分のブロック図である。図３において基地局制御装置１８の図示される要素は、特に本開示に従って情報を受信し近隣リストを更新する中で使用されるそれらの要素である。多数の他の要素はＯＡ＆Ｍの目的のような他の機能のために基地局制御装置１８に存在する。しかし簡単化のため、追加の要素は図示されない。
【００３０】
図３に示されるように、基地局制御装置１８はコントローラ３８と近隣リストデータベース３８とを含む。近隣リストデータベース３８は、ハンドオフの状況において基地局１２Ａの近隣であるとみなされる基地局のリストを格納する。コントローラ３６は定期的にデータベース３８から近隣リストを取ってきて、基地局１２Ａに、その近隣リストを基地局１２Ａを通して現在登録された様々な加入者ユニットへ放送させる。加入者ユニットはそれから基地局１２Ａから送られた近隣リストを使用して近隣の基地局のシグナルの検索を定義する。必要ならば、加入者ユニット１６はそれから近隣リスト内で特定された近隣の基地局へのハンドオフを実行できる。
【００３１】
本開示に従って、基地局１２Ａは中継器１４が検出できる（図１参照）基地局１２Ｂ、１２Ｃの群からのシグナル１７を示す情報を中継器１４から受信する。中継器１４から送られた情報はそれから基地局１２Ａから基地局制御装置１８へ転送される。基地局制御装置１８のコントローラ３６はこの情報を使用して近隣リストデータベース３８中に維持されたその近隣リストを更新する。
【００３２】
中継器１４により識別された情報に基づいて近隣リストデータベース３８中に維持された基地局制御装置１８の近隣リストを更新することにより、システム１０の性能が改善されうる。特に、中継器１４が検出できる基地局１２Ｂ、１２Ｃの群から受信したシグナル１７を示す情報は、基地局１２Ｂ、１２Ｃが中継器１４の存在のおかげで基地局１２Ａのサービス区域範囲内にあるという事実を考慮するために、基地局制御装置１８が近隣リストデータベース３８内で維持されたその近隣リストを更新することを可能にする。それから、基地局１２Ａがその近隣リストを放送させられた場合、他の加入者ユニットはハンドオフを容易にするため基地局１２Ｂ、１２Ｃを検索することを知るであろう。そのうえ、例えば他の基地局もしくは中継器の追加、あるいは基地局もしくは中継器の除去もしくは故障によりネットワークトポロジーが変化する場合、中継器１４は基地局１２Ａへシステム１０内の基地局シグナルの不在（ａｂｓｅｎｃｅ）あるいは追加を識別する新たな情報を送るだろう。その情報は、基地局制御装置１８の近隣リストが適宜に調節されることを可能にする。この仕方で、システム１０の様々な装置の動作が改善されうる。
【００３３】
図４は本開示の１実施形態に従う中継器１４の典型的な動作を示す流れ図である。図４に示されるように、中継器１４の制御ユニット２５は、例えば基地局１２Ｂ、１２Ｃから送られたシグナル１７内のパイロットシンボルを検出する（４１）。それから、制御ユニット２５は検出された様々なパイロットシンボルと関連するオフセットを識別する（４２）。例えば、システム１０がＣＤＭＡシステムを備える場合、制御ユニットはシステム時間に関連する様々なパイロットシンボルのＰＮオフセットを識別することができる。その場合、ＰＮオフセットは基地局１２Ｂ、１２Ｃのパイロットシンボルを求めて検索する間様々な加入者ユニットによりその後使用されることができる適切な検索時間を定める。
【００３４】
代わりに、制御ユニット２５は基地局１２Ｂ、１２Ｃと関連するＩＤコードを識別することができる。任意の場合において、制御ユニット２５はそれから中継器１４に識別されたオフセットを示す情報を基地局１２Ａへ送らせる（４３）。したがって、近隣リストが更新されることができるために基地局１２Ａはその情報を基地局制御装置１８へ転送できる。図４で説明された処理は、中継器１４の実施の後で技術者が基地局制御装置１８の近隣リストを手動で更新する必要性を除去あるいは減らすことができる。そのうえ、図４の処理は、例えばシステム１０内の基地局あるいは中継器の追加と、除去と故障とに応答して近隣リストの自動的および動的な調整を可能にすることができる。
【００３５】
図５は本開示の１実施形態に従う基地局制御装置１８の典型的な動作を示す流れ図である。図５に示されるように、基地局制御装置１８は、中継器１４が検出できる基地局１２Ｂ、１２Ｃの群のシグナルを示す中継器１４により識別された情報を受信する（５１）。コントローラ３６は受信した情報に基づいて近隣リストデータベース３８に格納された近隣リストを更新する（５２）。
【００３６】
ひとたび近隣リストが更新されると（５２）、コントローラ３６は基地局１２Ａに、更新された近隣リストを様々な加入者ユニットへ送らせる（５３）。ひとたび更新された近隣リストが様々な加入者ユニットへ送られると、それらの加入者ユニットはその更新された近隣リストを使用して検索とハンドオフとを容易にできる。とりわけ、中継器１４が検出できる基地局１２Ｂ、１２Ｃの群のシグナル１７を示す中継器１４により識別された情報に基づいて、近隣リストが更新されるため、加入者ユニットはシグナル１７を求めて検索し、可能であれば基地局１２Ｂ、１２Ｃのうちの１つへのハンドオフを実行することができる。
【００３７】
様々な実施形態が記述されてきた。特に、システム内の中継器がその中継器が検出できる基地局の群のシグナルを識別する無線通信システムが記述されてきた。本開示に従って、中継器が検出できる基地局の群のシグナルは、例えば図１で示したように異なる基地局から直接来ることができ、あるいは代わりに様々な基地局と関連する他の中継器から来ることができる。
【００３８】
中継器が検出できる基地局の群のシグナルを識別した後、中継器はそれからそのシグナルを示す情報をその中継器と関連する特定の基地局へ報告する。基地局はそれからこの情報を基地局制御装置へ転送する。その基地局制御装置は、その中継器から受信する情報に基づいてその近隣リストを更新する。更新された近隣リストはそれから加入者ユニットに送られることができる。その加入者ユニットは更新された近隣リストを使用してハンドオフを容易にする目的で近隣の基地局を検索できる。
【００３９】
ここで述べた技法は加入者ユニットあるいは基地局においてハードウェア、ソフトウェア、ファームウェアまたはそのようなもので実現されることができる。例にあげた（ｅｘａｍｐｌｅ）ハードウェアの実現は、デジタル信号プロセッサ（ＤＳＰ）、特定用途向け集積回路（ＡＳＩＣ）、フィールドプログラマブルゲートアレイ（ＦＰＧＡ）、プログラマブル論理デバイス、限定的に設計されたハードウェア要素、あるいはこれらのあらゆる組み合わせにおいての実現を含む。加えて、ここで述べた１あるいは２以上の技法は部分的にあるいは全体的にソフトウェアで実行されることができる。その場合、計算機読み取り可能な媒体は計算機読み取り可能な命令、すなわち基地局あるいは加入者ユニットのＤＳＰあるいはプロセッサにより実行されることができる上述した１あるいは２以上の技法を実行するプログラムコードを備えるあるいは格納することができる。
【００４０】
例えば、計算機読み取り可能な媒体は、ランダムアクセスメモリ（ＲＡＭ）、読み出し専用メモリ（ＲＯＭ）、不揮発性ランダムアクセスメモリ（ＮＶＲＡＭ）、電気的に消去可能なＰＲＯＭ（ＥＥＰＲＯＭ）、フラッシュメモリ、またはそのようなものを備えることができる。その計算機読み取り可能な媒体は加入者ユニット１６の制御ユニットに連結されるあるいは基地局制御装置１８のコントローラ３６に連結されることができる。それらの場合、制御ユニット２４あるいはコントローラ３６は、その計算機読み取り可能な媒体に格納された様々なソフトウェアモジュールを実行するＤＳＰあるいはプロセッサを備えることができる。
【００４１】
本開示の精神と範囲とから逸脱することなく多数の他の変更がなされることができる。例えば、技法の多くがＣＤＭＡシステムの文脈で記述されてきたが、当該技法は時分割多元接続（ＴＤＭＡ）システム、周波数分割多元接続（ＦＤＭＡ）システム、ＴＤＭＡ技法とＦＤＭＡ技法との組み合わせを使用する移動通信用全地球システム（ｇｌｏｂａｌ  ｓｙｓｔｅｍ  ｆｏｒ  ｍｏｂｉｌｅ  ｃｏｍｍｕｎｉｃａｔｉｏｎ、ＧＳＭ）のようなシステム、またはそのようなもの、のような他のシステムにも適用可能である。そしてそのうえ、近隣リストが基地局制御装置１８に格納されているように記述されてきたが、それらが代わりに、基地局１２、移動式通信交換局あるいは同様の装置内のような無線通信システムの他の装置に格納され更新されることができるだろう。したがって、これらおよび他の実施形態はクレームの範囲内にある。
【図面の簡単な説明】
【００４２】
【図１】本開示の１あるいは２以上の観点を実現することができる無線通信システムのシステム図である。
【図２】本開示の典型的な実施形態に従う中継器のブロック図である。
【図３】典型的な基地局制御装置をより詳細に示す図１に示された無線通信システムの一部分のブロック図である。
【図４】本開示の１実施形態に従う中継器の典型的な動作を示す流れ図である。
【図５】本開示の１実施形態に従う基地局制御装置の典型的な動作を示す流れ図である。
【符号の説明】
【００４３】
４…移動式通信交換局、８…公衆交換電話網（ＰＳＴＮ）、１０…無線通信システム、１２Ａ、１２Ｂ、１２Ｃ…基地局、１４…中継器、１５Ａ、１５Ａ´、１７Ｂ、１７Ｃ…シグナル、１６…加入者ユニット、１８…基地局制御装置、２２、２６…アンテナ、２４、２８…増幅器、２５…制御ユニット、３６…コントローラ、３８…近隣リストデータベース
【図１】
2007532079.tif 000003
【図２】
2007532079.tif 000004
【図３】
2007532079.tif 000005
【図４】
2007532079.tif 000006
【図５】
2007532079.tif 000007
【国際調査報告】
2007532079.tif 000008